(57)【要約】【課題】  目移しや編目の預け置き等を容易に行うことが可能で、キャリッジの小型化も可能な編地編成用カム装置を提供する。【解決手段】  各キャリッジ３，４には、目移し用カム群４０および目受け用カム群５０がそれぞれ配置される。キャリッジ３，４を左方に移動することによって、キャリッジ３が設けられる前針床からキャリッジ４が設けられる後針床まで、編目を移すことができる。キャリッジ３，４を右方に移動させれば、キャリッジ４が設けられる後針床からキャリッジ３が設けられる前針床まで、編目を移すことができる。前後の針床３，４間で、目移しを自在に行い、一方から他方に編目８０を預けて、ホールディングを続行し、しかも他方で編成中の編地とは分けて保持し、必要になれば他方から一方に返還させることができる。【選択図】      図１
2005113352.tif 000002
【特許請求の範囲】
【請求項１】
前後の針床が歯口で対峙する横編機で、各針床に沿って移動するキャリッジに搭載され、各針床に並設される複合針の針本体に作用する編成カムと、キャリッジの歯口側に設けられ、スライダのバットに作用して、編成カムによって駆動される針本体と協働するように、編地編成用の駆動を行うスライダカムとを備える編地編成用カム装置において、
少なくとも一方のキャリッジで編成カムに連続して設けられる目移し用カム群であって、
スライダカムによってスライダのバットが案内されるカムルートが終了する位置に配置され、スライダのバットに対する駆動と非駆動とを切換えるように制御可能であり、スライダのバットに対して駆動するように切換えられているときには、該スライダのバットを案内して、スライダのタングが針本体のフックよりも歯口に進出するカムルートに、スライダを運ぶスライダ目移しレイジングカムと、
スライダ目移しレイジングカムによってスライダのバットが案内されるカムルート上に配置され、スライダを、スライダカムによる進出位置よりもさらに歯口に進出して編目ループを受渡すことが可能な目移し位置まで進出するように駆動する目移しカムとを含む目移し用カム群と、
目移し用カム群が設けられるキャリッジに対して、歯口で対向するキャリッジで編成カムに連続して設けられる目受け用カム群であって、
目移し用カム群の目移しカムに対向する位置に設けられ、針本体に対する駆動と非駆動とを切換えるように制御可能であり、針本体に対して駆動するように切換えられているときは、針本体のフックを、目移しカムによって目移し位置まで進出するスライダから編目ループを受取ることが可能な編目受け位置に運ぶように駆動する目受け側編目受けカムと、
キャリッジの移動に関し、編目受けカムによって針本体の駆動が開始される位置付近に配置され、スライダのバットに対する駆動と非駆動とを切換えるように制御可能であり、スライダのバットに対して駆動するように切換えられているときには、該スライダのバットを案内して、スライダのタングが針本体のフックよりも歯口に進出して編目ループを保持する目受け保持ルートに、スライダを運ぶスライダ目受けレイジングカムとを含む目受け用カム群とを備え、
目移し用カム群は、目受け用カム群の目受けレイジングカムによってスライダが案内される目受け保持ルートに対向する位置に設けられ、針本体に対する駆動と非駆動とを切換えるように制御可能であり、針本体に対して駆動するように切換えられているときは、針本体のフックを、単独またはスライダとともに、該編目受け位置に運ぶ目移し側編目受けカムを、さらに含むことを特徴とする編地編成用カム装置。
【請求項２】
前記複合針は、前記編成カムによる駆動を受けて編成動作を行うためにニードルジャックを備え、
前記スライダのバットは、ニードルジャックを針溝に没入させることによって、針溝に沈んで前記目受け用カム群からの駆動を受けなくなるように構成され、
目受け用カム群に連続し、編成カムに対してさらに外方に設けられ、目受け用カム群をスライダのバットが通過するように、スライダのバットを針溝に没入させるようにニードルジャックのバットを押圧する押圧斜面、およびニードルジャックのバットを押圧斜面に案内するカム面を有するニードルジャックガイドカムと、
ニードルジャックをニードルジャックガイドカムのカム面に係合させずに通過させるように押圧することが選択的に可能なプレッサとを、さらに含むことを特徴とする請求項１記載の編地編成用カム装置。
【請求項３】
前後の針床にそれぞれ配置されるキャリッジに、前記目移しカム群と前記目受けカム群とがそれぞれ設けられることを特徴とする請求項１または２記載の編地編成用カム装置。
【請求項４】
前記各キャリッジは、
１回の編成動作を行わせる編成カムと、
キャリッジの移動方向に関して、編成カムの両側に配置され、３ポジションの制御位置の間で、各ポジションに位置を変える選針動作を行わせる選針機構と、
３ポジションのうちの１つのポジションに配置され、編成動作を制御可能な可動プレッサとを、さらに含むことを特徴とする請求項１〜３のいずれか１つに記載の編地編成用カム装置。
【発明の詳細な説明】
【技術分野】
【０００１】
本発明は、横編機の針床に沿って往復移動するキャリッジに搭載され、針床に配設される編針を選択的に駆動して、編地編成に関する動作を行わせる編地編成用カム装置に関する。
【背景技術】
【０００２】
従来から、横編機では、針床に多数の編針を並べ、針床に沿って移動するキャリッジに編地編成用カム装置を搭載して、編針が選択的に歯口に対して進退するように駆動し、歯口で編針に編糸を供給することによって、編地を編成している。針床は、少なくとも前後に一対設けられることが多い。針床が少なくとも前後に一対設けられている横編機では、編地の編成は基本的に各針床毎に行う。前後の針床を使用してゴム編みなどの組織を編成したり、前後の針床でそれぞれ編地を編成し、幅方向の両端を連続させて袋状の編地を編成することもできる。また、編目を前後の針床間で移動させる目移しを行うこともできる（たとえば、特許文献１〜４参照。）。
【０００３】
特許文献１では、前後の針床の編針に複合針を使用し、針本体のフックで編目ループを保持している複合針のスライダのタングに、対向する針床から編目ループを預け置く方法についての基本的な考え方が開示されている。特許文献２では、前後の針床の編針に複合針を使用し、先行するコースで形成されている編目ループをノックオーバさせないでスライダのタングに留め、対向する針床の編針に目移しして、さらに針床をずらすラッキングと目移しとを併用して、割増やしを行う編目形成方法やそのためのカムの構成等が開示されている。特許文献３には、前後の針床に複合針を用い、さらに前後の針床とは別に目移しジャックを設け、編目ループの目移しや預け置きを行う装置が開示されている。引用文献４には、前後の針床の編針に複合針を使用し、目移しや割増やしを行うことができる横編機の構成が開示されている。
【特許文献１】特許第２９４６３２５号公報
【特許文献２】特許第２９１７１４６号公報
【特許文献３】特許第２９９５４６４号公報
【特許文献４】特許第３２９２８３６号公報
【発明の開示】
【発明が解決しようとする課題】
【０００４】
前述の特許文献１〜４に開示されている先行技術によれば、前後の針床に複合針を使用する横編機で、基本的な編地の編成ばかりではなく、目移しなどを含めて多彩な編地の編成を行うことができる。ただし、特許文献１には、編針の駆動を効率的に行うカム装置などの具体的な構成は示されていない。特許文献２では、対向する針床の針本体のフックで目移しされる編目ループを受けるので、特許文献１のような編目ループを預け置く方法を適用することができない。
【０００５】
特許文献３では、目移しジャックを使用した編目の預け置きのカム構成と、目移しおよび編成カムが同位相のスライダカムにスライダホールディングカムを設けた編目の預け置きのカム構成とを開示するが、カム構造が複雑である。
【０００６】
さらに特許文献３および特許文献４に示す編成カムに目移しカムを配置した構成では、Ａ，Ｈ，Ｂの３ポジションの選針を行い、各ポジションにそれぞれプレッサを配置して、針本体やスライダの駆動の切換えを行っている。このような構成も、カム構成が複雑であるばかりではなく、左右に頂点を有するレイジングカムが必要であり、左右の度山の間の
距離が大きい。このため、手袋や靴下などの高速で頻繁に往復運動を繰り返す小さな編幅のニット製品を生産する編機には、時間的なロスが大きくなって適さない。
【０００７】
本発明の目的は、構造が簡単であって、目移しおよび編目の預け置き等を容易に行うことが可能で、キャリッジの小型化も可能な編地編成用カム装置を提供することである。
【課題を解決するための手段】
【０００８】
本発明は、前後の針床が歯口で対峙する横編機で、各針床に沿って移動するキャリッジに搭載され、各針床に並設される複合針の針本体に作用する編成カムと、キャリッジの歯口側に設けられ、スライダのバットに作用して、編成カムによって駆動される針本体と協働するように、編地編成用の駆動を行うスライダカムとを備える編地編成用カム装置において、
少なくとも一方のキャリッジで編成カムに連続して設けられる目移し用カム群であって、
スライダカムによってスライダのバットが案内されるカムルートが終了する位置に配置され、スライダのバットに対する駆動と非駆動とを切換えるように制御可能であり、スライダのバットに対して駆動するように切換えられているときには、該スライダのバットを案内して、スライダのタングが針本体のフックよりも歯口に進出するカムルートに、スライダを運ぶスライダ目移しレイジングカムと、
スライダ目移しレイジングカムによってスライダのバットが案内されるカムルート上に配置され、スライダを、スライダカムによる進出位置よりもさらに歯口に進出して編目ループを受渡すことが可能な目移し位置まで進出するように駆動する目移しカムとを含む目移し用カム群と、
目移し用カム群が設けられるキャリッジに対して、歯口で対向するキャリッジで編成カムに連続して設けられる目受け用カム群であって、
目移し用カム群の目移しカムに対向する位置に設けられ、針本体に対する駆動と非駆動とを切換えるように制御可能であり、針本体に対して駆動するように切換えられているときは、針本体のフックを、目移しカムによって目移し位置まで進出するスライダから編目ループを受取ることが可能な編目受け位置に運ぶように駆動する目受け側編目受けカムと、
キャリッジの移動に関し、編目受けカムによって針本体の駆動が開始される位置付近に配置され、スライダのバットに対する駆動と非駆動とを切換えるように制御可能であり、スライダのバットに対して駆動するように切換えられているときには、該スライダのバットを案内して、スライダのタングが針本体のフックよりも歯口に進出して編目ループを保持する目受け保持ルートに、スライダを運ぶスライダ目受けレイジングカムとを含む目受け用カム群とを備え、
目移し用カム群は、目受け用カム群の目受けレイジングカムによってスライダが案内される目受け保持ルートに対向する位置に設けられ、針本体に対する駆動と非駆動とを切換えるように制御可能であり、針本体に対して駆動するように切換えられているときは、針本体のフックを、単独またはスライダとともに、該編目受け位置に運ぶ目移し側編目受けカムを、さらに含むことを特徴とする編地編成用カム装置である。
【０００９】
また本発明で、前記複合針は、前記編成カムによる駆動を受けて編成動作を行うためにニードルジャックを備え、
前記スライダのバットは、ニードルジャックを針溝に没入させることによって、針溝に沈んで前記目受け用カム群からの駆動を受けなくなるように構成され、
目受け用カム群に連続し、編成カムに対してさらに外方に設けられ、目受け用カム群をスライダのバットが通過するように、スライダのバットを針溝に没入させるようにニードルジャックのバットを押圧する押圧斜面、およびニードルジャックのバットを押圧斜面に案内するカム面を有するニードルジャックガイドカムと、
ニードルジャックをニードルジャックガイドカムのカム面に係合させずに通過させるように押圧することが選択的に可能なプレッサとを、さらに含むことを特徴とする。
【００１０】
また本発明で、前後の針床にそれぞれ配置されるキャリッジに、前記目移しカム群と前記目受けカム群とがそれぞれ設けられることを特徴とする。
【００１１】
また本発明で、前記各キャリッジは、
１回の編成動作を行わせる編成カムと、
キャリッジの移動方向に関して、編成カムの両側に配置され、３ポジションの制御位置の間で、各ポジションに位置を変える選針動作を行わせる選針機構と、
３ポジションのうちの１つのポジションに配置され、編成動作を制御可能な可動プレッサとを、さらに含むことを特徴とする。
【発明の効果】
【００１２】
本発明によれば、編成カムのルートと目移しのルートを別配置にし、それぞれ協働させることで、キャリッジを簡単な構造でかつ小型化を図り、目移しカム群から目受けカム群に編目を移したり、移した編目を保持させることができる。目受け側での編目の保持は、編成中の針本体で編目を保持しながら、スライダのタングで目移しされた編目を保持することもできる。目移しがない編成コースでは所定の編成針を編成カムが通過するだけの小さなストロークでキャリッジを往復させ、目移しを行うコースのみ目移し用カム群が通過するだけのストロークでキャリッジを往復させることができるので、時間的なロスをなくし編成効率を高めることができる。
【００１３】
また本発明によれば、キャリッジのコンパクトさを阻害することなく、スライダのタングに編目を係止した状態を保持し、キャリッジ往復動して目移しおよび編成操作ができる。これにより、たとえば、手袋等の袋状編地にケーブル柄のように編目が交差した編組織を空き針を設けることなく編成でき、編成のバリエーションが豊富になる。
【００１４】
また本発明によれば、前後の針床間で、目移しを自在に行い、一方から他方に編目を預けて、しかも他方で編成中の編地とは分けて保持し、必要になれば他方から一方に返還させることができる。上部ベッドなどの補助針床や、空き針を設けることなく、筒状編地やリブ編地の目移しや、成形編成等の多様な編地を編成することができる。
【００１５】
また本発明によれば、選針機構を簡易化し、多様な選針が可能でも、キャリッジのコンパクト化を図ることができる。
【発明を実施するための最良の形態】
【００１６】
図１は、本発明の実施の一形態である編地編成用カム装置１の概略的なカム配置を示す。このカム配置は、カムの作用を受ける側を、上面から透視した状態で示す。編み地編成用カム装置１は、前後の針床が歯口２で対峙する横編機で、各針床に沿って移動するキャリッジ３，４に搭載される。キャリッジ３は、前針床に沿って移動し、キャリッジ４は、後針床に沿って移動するものとする。各キャリッジ３，４は、基本的に同等の構成を有し、編針として針本体とスライダとで構成される複合針を使用するときに、針本体用カム１０およびスライダ用カム１１を備える。編針の編成動作は、針毎に選針機構１２によって選択可能である。選針機構１２は、選針アクチュエータ１３、セレクタ浮上カム１４、セレクタ押上げカム１５およびセレクタガイドカム１６を含む。各キャリッジ３，４には、歯口２で編糸を押さえる可動シンカを駆動するヤーンガイド用カム１７や、編糸を編針に案内するシンカ用カム１８なども設けられる。
【００１７】
なお、セレクタ浮上カム１４は、後述するように、セレクタを針溝の底側から浮上させ
る作用をキャリッジ３，４の地板から離れた位置で行うけれども、説明の便宜上、カム配置に含めて表示する。また、セレクタ浮上カム１４を除いて、セレクタ押上げカム１５などでは、歯口２に進出する方向を「上」とし、歯口２から後退する方向を「下」としてそれぞれ示す。さらに、セレクタ浮上カム１４などで、クロスハッチを施して示す面は、地板の表面から連続的に盛り上がる傾斜面を表す。
【００１８】
針本体用カム１０は、編成カム２０を含む。編成カム２０は、中山を含むレイジングカム２１と、天山と呼ばれるガードカム２２と、度山２３，２４などを含む。レイジングカム２１は、歯口２に向かって突出する山形の形状を有し、レイジングカム２１よりも歯口２に近い位置に配置されるガードカム２２との間に、針本体をニット位置まで進出させる案内路を形成する。キャリッジ３，４は、図の左右方向に往復移動し、いずれの方向に移動する際にも、歯口２に進出した針本体を引き下げることができるように、両側には度山２３，２４がそれぞれ配置されている。度山２３，２４は、レイジングカム２１の山形の斜面に沿って、相対的に変位可能であり、針本体の引き下げ量を変えて度目調整を行うことができる。
【００１９】
キャリッジ３，４の移動方向に関し、レイジングカム２１を中心として、度山２３，２４よりも外方には、ゴム山２５，２６がそれぞれ配置される。ゴム山２５，２６はキャリッジ３，４の地板から出没変位が可能な制御カムであり、地板から突出している状態で、弾性糸を使用するインレイ編成を行うことができる。編成カム２０の設けられている範囲で、歯口２から遠ざかる側の位置には、可動プレッサ３０が配置される。可動プレッサ３０の外側には、セレクトジャックハーフ下げカム３１，３２と、セレクトジャック下げカム３３，３４も配置される。セレクトジャックハーフ下げカム３１，３２は、常に地板から突出している固定のカムである。セレクトジャック下げカム３３，３４は、地板から出没変位が可能な制御カムである。セレクトジャック下げカム３４よりも外側には、セレクトジャックプレッサ３５が配置される。
【００２０】
各キャリッジ３，４には、目移し用カム群４０および目受け用カム群５０がそれぞれ配置される。キャリッジ３には、一方、たとえば図の左方に移動する場合に、編成カム２０よりも下流側の位置に目移し用カム群４０が配置される。キャリッジ３に歯口２を挟んで対向するキャリッジ４には、目移し用カム群４０に対向する位置に、目受け用カム群５０が配置される。このように目移し用カム群４０と目受け用カム群５０とが配置されるので、キャリッジ３，４を左方に移動することによって、キャリッジ３が設けられる前針床からキャリッジ４が設けられる後針床まで、編目を移すことができる。
【００２１】
なお、キャリッジ４で、編成カム２０を挟んで、目受け用カム群５０に対応する位置には、目移し用カム群４０が配置される。歯口２を挟んでキャリッジ４の目移し用カム群４０に対向するキャリッジ３の位置には、目受け用カム群５０が配置される。したがって、キャリッジ３，４を右方に移動させれば、キャリッジ４が設けられる後針床からキャリッジ３が設けられる前針床まで、編目を移すことができる。
【００２２】
各目移し用カム群４０は、スライダ用目移しレイジングカム４１、スライダ目移しカム４２および目移し側編目受けカム４３を含む。スライダ目移しカム４２は、スライダ用カム１１によるスライダの歯口２への上昇位置を保持させ、さらに上昇させるカムルートを含む。スライダ用目移しレイジングカム４１は、スライダ用カム１１とスライダ目移しカム４２との間に配置され、地板から出没変位が可能な制御カムであり、突出している状態で、スライダをスライダ目移しカム４２のカムルートに運ぶ。目移し側編目受けカム４３は、針本体を、単独またはスライダとともに、対向する針床側からの編目を受け取る目受け位置に運ぶために使用する。目移し側編目受けカム４３も、地板から出没変位が可能な制御カムであり、突出させることによって、いったん、対向する針床側に目移しした編目
を、さらに取り戻すことができる。
【００２３】
各目受け用カム群５０は、目受け側編目受けカム５１、目受け側保持レイジングカム５２および目受け用スライダカム５３を含む。目受け側編目受けカム５１は、地板から出没変位が可能な制御カムであり、突出させることによって、針本体を歯口２に進出させて、対向する針床から目移しされる編目を受け取る目受け位置に運ぶ。目受け側保持レイジングカム５２は、地板から出没変位が可能な制御カムであり、突出させることによって、スライダを目受け用スライダカム５３に案内し、スライダを歯口２に進出させて、対向する針床から目移しされる編目を受け、編目を保持する状態を継続させることができる。
【００２４】
図２および図３は、一方の針床６０、たとえば前針床の断面構成を示す。後針床も、基本的には同等な構成を有する。針床６０には、一定の間隔で針溝６１が形成され、針溝６１内に複合針６２などの編針が収納される。複合針６２は、針本体６３とスライダ６４とを含む。針本体６３の歯口２側の先端には、フック６３ａが設けられる。スライダ６４は、たとえば特許第２９１７１４６号公報（特許文献２）の図４などに示されているように、歯口２側の先端は、針本体６２を挟む２枚の弾性板に分けて形成される。弾性板の部分は、先端側の高さが低くなる段差を有し、低い先端部分がタング６４ａとなっている。針本体６２およびスライダ６３は、歯口２に対して上昇または下降する摺動変位の際に、針溝６１から浮き上がらないように、スペーサ６５等で押さえられている。
【００２５】
針溝６１内で、針本体６３の尾端側には、ニードルジャック６６の先端側が連結されている。ニードルジャック６６の尾端側は、弾性部６６ａとなって、針溝６１の底部からニードルジャック６６を浮き上がらせる方向に付勢する。ニードルジャック６６からは、針溝６１の外部に向かって、ニードルジャックバット６７が突出する。ニードルジャックバット６７は、図１の針本体用カム１０の作用を受け、針本体６３を針溝６１内で歯口２に対して進退変位するように駆動する。スライダ６４からも、スライダバット６８が針溝６１の外部に向かって突出する。ニードルジャック６６が歯口２に向かって針溝６１内を移動するとき、ニードルジャック６６の先端がスライダバット６８に当接すると、針本体６３とともに、スライダ６４も歯口２に押し上げることができる。スライダバット６８に、図１に示すスライダ用カム１１や、スライダ用レイジングカム４１、スライダ目移しカム４２、目受け側保持レイジングカム５２、目受け用スライダカム５３などを作用させれば、スライダ６４のみをさらに歯口２に進出させることができる。
【００２６】
ニードルジャック６６の弾性部６６ａは、セレクトジャック７０で押さえられる。セレクトジャック７０の尾端側は弾性部７０ａとなり、針溝６１の底部に当接している。セレクトジャック７０の先端側からは、針溝６１の外方にセレクトジャックバット７１が突出する。セレクトジャックバット７１は、図１の可動プレッサ３０や、セレクトジャックハーフ下げカム３１，３２、セレクトジャック下げカム３３，３４、セレクトジャックプレッサ３５などの作用を受ける。
【００２７】
セレクトジャック７０は、針溝６１内で、セレクタ７２によって押さえられる。セレクタ７２は、図１の選針アクチュエータ１３による選針のための選針用バット７３ａ，７３ｂ，７３ｃ，７３ｄを、針溝６１の外方に突出させる。セレクタ浮上カム１４は、セレクタ７２の底部側を針溝６１の外方に向かって押上げ、選針用バット７３ａ，７３ｂ，７３ｃ，７３ｄを図１の選針アクチュエータ１３に接触させる。選針用バット７３ａ，７３ｂ，７３ｃ，７３ｄは、複数、たとえば４つの異なる位置に設けられ、隣接する４つのセレクタ７２には、１つずつ異なる選針用バット７３ａ，７３ｂ，７３ｃ，７３ｄが設けられる。セレクタ７２の尾端には、押上げ用バット７４が設けられ、セレクタ押上カム１５の作用を受ける。セレクタ７２の先端側からは、針溝６１の外方に向かって、押下げ用バット７５が突出する。押下げ用バット７５は、図１のセレクタガイドカム１６の作用を受け
る。
【００２８】
図２は、セレクトジャック７０が図１のＡポジションまで押上げられている選針状態を示す。図３は、セレクトジャック７０が図１のＢポジションで針溝６１内に沈められている非選針状態を示す。セレクトジャック７０が沈められると、セレクトジャック７０も針溝６１内で沈み、さらにニードルジャック６６も沈んで、ニードルジャックバット６７が針本体用カム１０の作用を受けなくなる。セレクトジャック７０は、ＡポジションとＢポジションとの中間のＨポジションをとることもできる。Ａポジションでは、セレクトジャックバット７１が可動プレッサ３０の作用を受けて針溝６１内に沈むと、ニードルジャック６６も連動して針溝６１内に沈む。
【００２９】
図３に示す非選針状態は、セレクタ７２の選針用バット７３ａ，７３ｂ，７３ｃ，７３ｄが選針アクチュエータ１３によって沈められる状態であり、セレクタ７２は針溝６１との摺動抵抗が大きくなるように形成されており、次にセレクタ浮上カム１４による浮上がなされるまで、セレクタ７２、セレクトジャック７０およびニードルジャック６６を針溝６１内に沈める状態を保つことができる。セレクタ７２の選針用バット７３ａ，７３ｂ，７３ｃ，７３ｄが選針アクチュエータ１３によって沈められない選針状態では、図２に示すように、セレクタ７２は押上げ用バット７４がセレクタ押上カム１５で押上げられ、針溝６１内を歯口２側に上昇する。
【００３０】
図４は、各キャリッジ３，４で編地の編成を行うための制御状態を示す。出没可能な制御カムを突出させている状態には、斜線を施す。レイジングカム２１は、キャリッジ３，４の地板に対して出没変位する制御可能な出没部２１ａ，２１ｂと、中央に固定される中山２１ｃとを含む。度山２３，２４は、度目形成用の下降カム面よりもキャリッジ３，４の移動方向の外方に、凹所２３ａ，２４ａと度違い用カム面２３ｂ，２４ｂとを有する。可動プレッサ３０は、左右の度違いタック用プレッサ３０ａ，３０ｂと、中央のタック用プレッサ３０ｃとに分けて、個別に地板から出没させるように制御可能である。選針アクチュエータ１３は、図２および図３に示す選針用バット７３ａ，７３ｂ，７３ｃ，７３ｄをそれぞれ押圧する作動片１３ａ，１３ｂ，１３ｃ，１３ｄを有する。
【００３１】
キャリッジ３，４が左方に移動する場合を想定すると、図４の左側から接近するセレクタ７２の押下げ用バット７５は、セレクタガイドカム１６の左側で押下げられ、選針用バット７３ａ，７３ｂ，７３ｃ，７３ｄが作動片１３ａ，１３ｂ，１３ｃ，１３ｄの位置に達するまで、セレクタ７２が下降する。選針アクチュエータ１３によって選針されると、押上げ用バット７４がセレクタ押上カム１５の上昇カム面に沿って、経路７４ａとして示すように上昇する。セレクタ７２の上昇で、セレクトジャック７０も、セレクトジャックバット７１の経路７１ａとして示すように上昇し、Ａポジションに達する。選針アクチュエータ１３によって選針されないときは、押上げ用バット７４が針溝６１内に沈み、セレクタ押上カム１５の上昇カム面の作用を受けず、セレクトジャック７０はＢポジションを保つ。すなわち、図１の選針機構１２は、セレクトジャック７０の３つの制御位置であるＢポジションとＨポジションとＡポジションと間を、１段階ずつ、２段階で上昇させるように、選択されるセレクタ７２を上昇させる。
【００３２】
セレクトジャック７０をＡポジションおよびＨポジションに上げるためには、予め左行きで編成を行う前の右行きの最後に、選針アクチュエータ１３で選針を行い、セレクタ７２の押上げ用バット７４をセレクタ押上カム１５で経路７４ｈに示すように押上げておく。セレクトジャックバット７１も経路７１ｈで示すように押し上げられる。次の左行きで、セレクトジャックバット７１は、Ｈポジションより高い位置にあっても、セレクトジャックハーフ下げカム３１の左側の下降カム面に当接し、Ｈポジションに押下げられる。次に選針アクチュエータ１３でセレクタ７２を選針し、セレクタ押上カム１５によってセレ
クタ７２を押上げれば、セレクトジャック７０をＨポジションまたはＢポジションからさらにＡポジションまで押上げることができる。これにより、セレクトジャック７０をＢ、Ｈ、Ａの３ポジションに仕分けることができる。
【００３３】
セレクトジャック７０の位置がＨポジションであれば、レイジングカム２１で少なくとも左側の出没部２１ａを突出させることによって、編針にニット編成動作を行わせることができる。ニット編成動作では、ニードルジャック６７およびスライダバット６８が破線で示す経路６７ｈ，６８ｈをそれぞれ通る。セレクトジャック７０の位置がＡポジションであれば、セレクトジャックバット７１に可動プレッサ３０を作用させることができる。セレクトジャックバット７１を可動プレッサ３０で針溝６１内に沈めると、ニードルジャックバット６７がレイジングカム２１や度山２３，２４のカム面の作用を受けないようになるからである。
【００３４】
可動プレッサ３０の度違いタック用プレッサ３０ｂとタック用プレッサ３０ｃとを突出させれば、ニードルジャック６７およびスライダバット６８に、二点鎖線線で示す経路６７ａ，６８ａをそれぞれ通過させて、度違いタックの編成動作を行わせることができる。なお、度違いタックプレッサ３０ａ，３０ｂおよびタックプレッサ３０ｃをいずれも突出させなければ、レイジングカム２１の出没部２１ａを突出させて、Ａポジションでもニットの編成動作を行わせることができる。セレクトジャック下げカム３４を突出させれば、セレクトジャック７０を、セレクトジャックバット７１の経路７１ｂとして示すように、Ｂポジションまで下降させることができる。Ｂポジションは、針本体６３が歯口２に上昇しないミスの位置であることはもちろんである。
【００３５】
図５は、キャリッジ３，４の左行きで、ゴム山２５を利用してインレイ編成を行う制御状態を示す。この左行きの前の右行きで、ゴム糸などの弾性糸をタックさせる編針を選針アクチュエータ１３で選び、セレクタ７２の押上げ用バット７４を経路７４ｈに示すように押上げ、セレクトジャック７０のセレクトジャックバット７１を経路７１ｈに示すように押上げる。次の左行きで、セレクトジャック７０はＨポジションに上昇している状態なので、ニードルジャックバット６７は、目受け側編目受けカム５１の位置を通る。目受け側編目受けカム５１は沈んだ状態なので通過し、ゴム山２５の上昇カム面に達する。破線の経路６７ｇで示すように、突出している状態のゴム山２５でニードルジャックバット６７がタック位置まで上昇し、歯口２で編成用の編糸を供給する給糸口よりも先行するインレイ用の給糸口から弾性糸の供給を受ける。さらにこの編針は、選針アクチュエータ１３で選針され、経路７４ａおよび経路７１ａで示すようにセレクトジャック７０がＡポジションに押上げられた編針とともに、レイジングカム２１、ガイドカム２２、度山２４およびスライダ用カム１１でニット編成動作を行い、歯口２でさらに編糸の供給を受ける。
【００３６】
図６および図７は、前後の針床間で目移しを行う際の制御状態を示す。図６は移し側、図７は受け側をそれぞれ示す。図８は、歯口２での目移しの経過を示す。キャリッジ３，４の左行きで、前針床で編成した編目を後針床に目移しする場合、左側の選針アクチュエータ１３では、ＨポジションまたはＡポジションに選針する。移し側のキャリッジ３では、レイジングカム２１の出没部２１ａを突出させ、編成動作を行わせる。さらに、スライダ目移しレイジングカム４１を突出させる。スライダ６４のスライダバット６８は、スライダ目移しカム４２のカムルートに案内され、経路６８ｔで示すように、スライダ用カム１１よりもさらに歯口２へ進出する目移し位置を通過する。受け側のキャリッジ４では、レイジングカム２１の出没部２１ａ，２１ｂは突出させず、目受け側編目受けカム５１を突出させる。ニードルジャック６６のニードルジャックバット６７は、目受け側編目受けカム５１によって、経路６７ｒに示すように、歯口２に進出する目受け位置を通過する。
【００３７】
丸印の１は、ニードルジャックバット６７がレイジングカム２１の上昇カム面に当接し
て、編針が歯口２に進出を開始する直前の状態を示す。スライダ６４下降しており、フック６３ａは開いている。前側の針床のキャリッジ３によって駆動される針本体６３側に、先行するコースで編成した編目８０が形成されているものとする。丸印の２は、キャリッジ３のレイジングカム２１の中山２１ｃで、針本体６３が歯口２に最も進出している状態を示す。スライダ６４も歯口２に進出し、編目８０は、針本体６３のフック６３ａからスライダ６４のタング６４ａに移る。丸印の３は、針本体６３が度山２４によって、最も下降させられている状態を示す。スライダ６４は、スライダ目移しレイジングカム４１によって、スライダ目移しカム４２のカムルートに移り、上昇位置を保っているので、針本体６３のフック６３ａの頂部は、スライダ６４のタング６４ａに留まる編目８０よりも下がる。
【００３８】
丸印の４から１０の過程で、目移しが行われる。丸印の４では、目受け側のキャリッジ４によって、スライダ６４が上昇し、針本体６３のフック６３ａを閉じる。丸印の５では、目受け側編目受けカム５１によって、目受け側の針本体６３が上昇し、フック６３ａの先端が目移し側のスライダ６４のタング６４ａを形成する２枚の弾性板間に進入する。丸印の６では、目移し側のスライダ６４がスライダ目移しカム４２に形成されるカムルートの最上昇位置に案内され、最も上昇する。丸印の７では、目受け側の針本体６３が最も上昇する。丸印の８では、目移し側のスライダ６４が下降を開始し、タング６４ａに保持している編目８０を目受け側の針本体６３のフック６３ａに移す。丸印の９では、目移し側のスライダ６４が編目８０の位置よりも下降し、編目８０は目受け側の針本体６３のフック６３ａに移っている。丸印の１０は、目受け側の針本体６３も下降し、スライダ６４によってフック６３ａが閉じている状態を示す。
【００３９】
図９は、本発明の実施の他の形態である編地編成用カム装置１０１の概略的なカム配置を示す。本実施の形態で、図１の実施の形態に対応する部分には同一の参照府を付し、重複する説明は省略する。本実施の形態でも、前後の針床に設けるキャリッジ１０３，１０４に、目移し用カム群１１０および目受け用カム群１２０をそれぞれ設ける。目移し用カム群１１０では、図１の目移し用カム群４０のスライダ目移しカム４２の代わりに、スライダ目移しカム１１１を用いる。目受け用カム群１２０では、図１の目受け用カム群４０の目受け用スライダカム５３の代わりに、目受け用スライダカム１２１を用いる。スライダ目移しカム１１１および目受け用スライダカム１２１には、スライダ６４が歯口２に進出して、タング６４ａで編目８０を保持する状態を継続するためのカムルート１１１ａおよび１２１ａの溝がそれぞれ設けられている。この保持状態を継続するために、ニードルジャックガイドカム１２２およびホールド用プレッサ１２３も設けられている。カムルート１１１ａおよび１２１ａの溝は、スライダバット６８が針溝６１に沈められた状態であっても、若干の溝に係合してガイドされる。ただし、前記カムルート１１１ａおよび１２１ａの溝は必ずしも必要でない。
【００４０】
後述のホールディング続行に関して説明するように、セレクトジャックバット７１をＢポジションまで下降させてニードルジャックバット６７およびスライダバット６８を針溝６１に沈めれば、スライダのタング６４ａを歯口２に進出させた状態を継続させることができる。この状態でスライダバット６８をスライダ目移しカム４２および目受け用スライダカム５３は換えずにそのまま使用してもよい。
【００４１】
図１０および図１１は、前後の針床間で目移しを行う際の制御状態を示す。図１０は移し側、図１１は受け側をそれぞれ示す。ただし、受け側では、スライダ６４のタング６４ａに編目８０を受ける。図１２は、歯口２での目移しの経過を示す。
【００４２】
キャリッジ１０３，１０４の左行きで、前針床で編成した編目を後針床に目移しする場合、左側の選針アクチュエータ１３では、Ａポジションに選針する。移し側のキャリッジ
１０３では、レイジングカム２１の出没部２１ａを突出させ、編成動作を行わせる。さらに、スライダ目移しレイジングカム４１を突出させる。スライダ６４のスライダバット６８は、スライダ目移しカム１１１のカムルートに案内され、経路６８ｔで示すように、スライダ用カム１１よりもさらに歯口２へ進出する目移し位置を通過する。このとき右側の選針アクチュエータ１３では、経路７４ａで示すように、次のコースで目受けを行う針を予めＡポジションに選針しておく。受け側のキャリッジ１０４では、レイジングカム２１の出没部２１ａ，２１ｂは突出させず、目受け側編目受けカム５１を突出させる。ニードルジャック６６のニードルジャックバット６７は、目受け側編目受けカム５１によって、経路６７ｒに示すように、歯口２に進出する目受け位置を通過する。さらに目受け側保持レイジングカム５２を突出させ、スライダ６４のスライダバット６８が目受け用スライダカム１２１の保持継続用ルートに案内され、経路６８ｒで示すように、保持位置を継続させることができる。
【００４３】
丸印のＡは、ニードルジャックバット６７がレイジングカム２１の上昇カム面に当接して、編針が歯口２に進出を開始する直前の状態を示す。スライダ６４下降しており、フック６３ａは開いている。前側の針床のキャリッジ１０３によって駆動される針本体６３側に、先行するコースで編成した編目８０が形成されているものとする。丸印のＢは、キャリッジ１０３のレイジングカム２１の中山２１ｃで、針本体６３が歯口２に最も進出している状態を示す。スライダ６４も歯口２に進出し、編目８０は、針本体６３のフック６３ａからスライダ６４のタング６４ａに移る。丸印のＣは、針本体６３が度山２４によって、最も下降させられている状態を示す。スライダ６４は、スライダ目移しレイジングカム４１によって、スライダ目移しカム１１１のカムルートに移り、上昇位置を保っているので、針本体６３のフック６３ａの頂部は、スライダ６４のタング６４ａに留まる編目８０よりも下がる。
【００４４】
丸印のＤからＪの過程で、目移しが行われる。丸印のＤでは、目受け側のキャリッジ１０４によって、スライダ６４が上昇し、針本体６３のフック６３ａを閉じる。丸印のＥでは、目受け側編目受けカム５１によって、目受け側の針本体６３が上昇し、フック６３ａの先端が目移し側のスライダ６４のタング６４ａを形成する２枚の弾性板間に進入する。丸印のＦでは、目移し側のスライダ６４のスライダバット６８がスライダ目移しカム１１１に形成されるカムルートの最上昇位置に案内され、最も上昇する。目受け側のスライダ６４も、スライダバット６８が目受け側保持レイジングカム５２によって目受け用スライダカム１２１のカムルートに案内されて上昇を開始する。したがって、図１２で丸印のＡからＥまでは、図８で丸印の１から５までとそれぞれ同様な動作であるけれども、丸印のＦ以降は、丸印の６以降とは異なる動作となる。
【００４５】
なお、ニードルジャックガイドカム１２２には、下降面１２２ａと押圧斜面１２２ｂとが設けられている。キャリッジ１０４が右行する場合に、セレクトジャックバット７１の経路がホールド用プレッサ１２３の押圧部１２３ａを通過しない条件で、ニードルジャックバット６７は下降面１２１ａから押圧斜面１２１ｂに案内される。
【００４６】
図１２で丸印のＧでは、目受け側の針本体６３とともにスライダ６４が最も上昇する。丸印のＨでは、目移し側のスライダ６４が下降を開始し、タング６４ａに保持している編目８０を目受け側のスライダ６４のタング６４ａに移す。丸印のＩでは、目移し側のスライダ６４が編目８０の位置よりも下降し、目受け側の針本体６３も下降しているので、編目８０は目受け側のスライダ６４のタング６４ａに移っている。丸印のＪは、目受け側の針本体６３およびスライダ６４もさらに下降し、スライダ６４によってフック６３ａが閉じている状態を示す。以上のような目移しの過程では、目受け側の針本体６３のフック６３ａに別の編目を保持して、編目８０を受けることができる。すなわち、目受け側のスライダ６４で編目８０を預け置き（以下、「ホールディング」という。）している状態とし
て取り扱うことができる。
【００４７】
図１３および図１４は、図１０〜図１２に示すように前後の針床間で目移しを行った後で、編目を返還する際の制御状態を示す。図１３は移し側、図１４は受け側をそれぞれ示す。ただし、図１０では受け側であったキャリッジ１０４が移し側となり、キャリッジ１０３が受け側となる。キャリッジ１０３，１０４が右行きの移動を行う際に、返還の動作が行われる。図１５は、歯口２での返還の経過を示す。
【００４８】
図１３に示すように、移し側のキャリッジ１０４では、セレクトジャック下げカム３３を突出させ、セレクトジャック７０のセレクトジャックバット７１の経路７１ｃで示すように、セレクタ７２をＢポジションまで下げる。この間に、スライダ６４のスライダバット６８は、経路６８ｔに示すように、目受け用スライダカム１２１のカムルートを通り、目移し位置まで上昇する。ニードルジャック６６のニードルジャックバット６７は、経路６７ｃで示すように、一定の高さを保つ。
【００４９】
図１４に示すように、受け側のキャリッジ１０３では、目移し用編目受けカム４３によってニードルジャック６６のニードルジャックバット６７が経路６７ｒで示すように上昇し、スライダ６４のスライダバット６８も経路６８ｒで示すように上昇する。セレクトジャック７０のセレクトジャックバット７１は、経路７１ａ，７１ｈで示すように、セレクトジャックハーフ下げカム３２およびセレクトジャック下げカム３４で押下げられる。
【００５０】
図１５で丸印のＫは、キャリッジ１０４の目受け用スライダカム１２１のカムルートに経路６８ｔに従ってスライダバット６８が案内される位置に対応する状態を示す。丸印のＬは、受け側の針本体６３が目移し側編目受けカム４３によって上昇を開始し、フック６３ａの先端が移し側のスライダ６４のタング６４ａに挿入されている状態を示す。丸印のＭは、移し側のスライダ６４と受け側の針本体６３とがそれぞれ最も上昇している状態を示す。丸印のＮは、移し側のスライダ６４と受け側の針本体６３とがそれぞれ下降し、編目８０が受け側の針本体６３のフック６３ａに移って、スライダ６４によって閉じている状態を示す。丸印のＯは、移し側のスライダ６４が下降し、編目８０から離れ、針本体６３を閉じている状態を示す。丸印のＰは、受け側の針本体６３とスライダ６４とがミス位置まで下降している状態を示す。
【００５１】
図１６および図１７は、図１０および図１１と同様に、前後の針床間で目移しを行う際の制御状態を示す。図１６は移し側、図１７は受け側をそれぞれ示す。ただし、受け側では、スライダ６４のタング６４ａに編目８０を受けて保持するホールディング状態を継続させる続行状態で終わる。このため、受け側のキャリッジ１０４では、後行する右側の選針アクチュエータ１３でセレクタ７２の選択を行い、押上げ用バット７４をセレクタ押上カム１５で経路７４ａに示すように押上げ、セレクトジャック７０のセレクトジャックバット７１を経路７１ａで示すように、ホールド用プレッサ１２３に当接しないＡポジションの位置に予め上昇させておく。
【００５２】
図１８および図１９は、ホールディングをさらに続行させる制御状態を示す。図１８に示すスライダ６４でホールディングが行われている受け側のキャリッジ１０４では、セレクトジャック下げカム３３を突出させている。図１７の前工程の経路６７ｒで示されたニードルジャックバット６７は、受け側のキャリッジ１０４の外方からニードルジャックガイドカム１２２の下降面１２２ａに沿って経路６７ａから経路６７ｃへ下降し、押圧斜面１２２ｂによって沈められる。このときスライダバット６８も同時に沈められることになり、目受け用スライダカム１２１の作用を受けることがなくなる。さらに、セレクトジャックバット７１を経路７１ｃで示すようにセレクトジャック下げカム３３でＢポジションまで押下げて経路７１ｃで保持させる。これにより、スライダバット６８は、経路６８ｃ
で示すようにスライダ６４のタング６４ａが歯口２に進出した位置を保つ。一方、図１９に示す移し側のキャリッジ１０３では、セレクトジャックバット７１を経路７１ｃで示すようにセレクトジャック下げカム３４でＢポジションまで押下げて経路７１ｃで保持させ、図１５で丸印のＫＫとして示すように、ホールディングを続行させることができる。
【００５３】
図２０、図２１、図２２および図２３は、ホールディングの続行から針フック６３ａに編目を返還させる制御状態を示す。スライダ６４でホールディングが行われている受け側のキャリッジ１０４では、図２２および図２３に示す右行きで返還を行うものとして、図２０および図２１に示す左行きのコースで、可動プレッサ３０（３０ａ，３０ｂ，３０ｃ）を突出させるとともに、先行する選針アクチュエータ１３でセレクタ７２の選択を行い、セレクトジャック７０のセレクトジャックバット７１を経路７１ａで示すようにＡポジションまで押上げる。スライダバット６８は、セレクトジャックバット７１が可動プレッサ３０（３０ａ，３０ｂ，３０ｃ）に当接している区域を通過した後、経路６８ａで示すように目受け用スライダカム１２１のカム溝に係合し、スライダ６４のタング６４ａが歯口２に進出した位置を保つ。また、可動プレッサ３０（３０ａ，３０ｂ，３０ｃ）を通過後のセレクトジャックバット７１は、セレクトジャックハーフ下げカム３１に沿ってＨポジションに下げられる。図２２は図１３と同様であって、受け側であったキャリッジ１０４が移し側となり、外方からニードルジャックガイドカム１２２に係合させずに経路６７ｔを通過するように、ホールド用プレッサ１２３の押圧部１２３ａが設けられている区域のみ経路７１ｈに示すＨポジションのセレクトジャックバット７１を押し込む。この後スライダバット６８は目受け用スライダカム１２１に係合することができる。図２３は図１４と同様であって、移し側であったキャリッジ１０３が受け側となり、目移し側編目受けカム４３で針本体６３を歯口２に進出させ、編目の返還を受ける。したがって、図２２および図２３に関わる工程は、図１５の丸印Ｋから丸印Ｐに示す経過と同様である。
【００５４】
以上のように、各実施の形態によれば、目移し用カム群４０，１１０から目受け用カム群５０，１２０に編目８０を移したり、移した編目８０を保持させることができる。目受け側での編目８０の保持は、編成中の針本体６３で編目８０を保持しながら、スライダ６４のタング６４ａで目移しされた編目８０を保持するホールディングも行うこともできる。
【００５５】
また、前後の針床間で、目移しを自在に行い、一方から他方に編目８０を預けて、ホールディングを続行し、しかも他方で編成中の編地とは分けて保持し、必要になれば他方から一方に返還させることができる。上部ベッドなどの補助針床や、空き針を設けることなく、筒状編地やリブ編地の目移し、さらに筒状編地で編目が交差するような組織の柄および成形編成等の多様な編地を編成することができる。
【００５６】
また、３ポジションの選針機構１２で多様な制御を行い、選針機構１２を簡易化し、多様な選針が可能でも、キャリッジ３，４；１０３，１０４のコンパクト化を図ることができる。キャリッジ３，４；１０３，１０４をコンパクト化することによって、移動の高速化や移動距離の短縮を図ることができ、手袋などの小幅な編地の編成を効率よく行うことができる。
【図面の簡単な説明】
【００５７】
【図１】本発明の実施の一形態である編地編成用カム装置１の概略的なカム配置図である。
【図２】図１のＡポジションまで、セレクトジャック７０が押上げられている選針状態を示す断面図である。
【図３】図１のＢポジションで、セレクトジャック７０が針溝６１内に沈められている非選針状態を示す断面図である。
【図４】図１の各キャリッジ３，４で編地の編成を行うための制御状態を示すカム配置図である。
【図５】図１の各キャリッジ３，４の左行きで、ゴム山２５を利用してインレイ編成を行う制御状態を示すカム配置図である。
【図６】図１のキャリッジ３で図７に対向して目移しを行うための制御状態を示すカム配置図である。
【図７】図１のキャリッジ４で図６に対向して目受けを行うための制御状態を示すカム配置図である。
【図８】図６および図７での目移しの経過を示す部分的な断面図である。
【図９】本発明の実施の他の形態である編地編成用カム装置１０１の概略的なカム配置図である。
【図１０】図９のキャリッジ１０３で図１１に対向して目移しを行うための制御状態を示すカム配置図である。
【図１１】図９のキャリッジ１０４で図１０に対向して目受けを行うための制御状態を示すカム配置図である。
【図１２】図１０および図１１での目移しの経過を示す部分的な断面図である。
【図１３】図９のキャリッジ１０４で図１４に対向し、返還のための目移しを行うための制御状態を示すカム配置図である。
【図１４】図９のキャリッジ１０３で図１３に対向し、返還される編目の目受けを行うための制御状態を示すカム配置図である。
【図１５】図１３および図１４での目移しの経過を示す部分的な断面図である。
【図１６】図９のキャリッジ１０３で図１７に対向して目移しを行うための制御状態を示すカム配置図である。
【図１７】図９のキャリッジ１０４で図１６に対向して目受けを行い、ホールディングを続行するための制御状態を示すカム配置図である。
【図１８】図９のキャリッジ１０３で図１９に対向し、目受けを行った後、ホールディングを続行するための制御状態を示すカム配置図である。
【図１９】図９のキャリッジ１０４で図１８に対向し、ホールディングを続行させるための制御状態を示すカム配置図である。
【図２０】図９のキャリッジ１０４で図２１に対向し、ホールディング続行から編目返還の準備を行うための制御状態を示すカム配置図である。
【図２１】図９のキャリッジ１０３で図２０に対向し、ホールディング続行から編目返還の準備を行うための制御状態を示すカム配置図である。
【図２２】図９のキャリッジ１０４で図２３に対向し、ホールディング続行から編目返還の目移しを行うための制御状態を示すカム配置図である。
【図２３】図９のキャリッジ１０３で図２２に対向し、ホールディング続行から編目返還の目受けを行うための制御状態を示すカム配置図である。
【符号の説明】
【００５８】
１，１０１  編地編成用カム装置
２  歯口
３，４；１０３，１０４  キャリッジ
１０  針本体用カム
１１  スライダ用カム
１３  選針アクチュエータ
１５  セレクタ押上カム
２０  編成カム
２１  レイジングカム
２３，２４  度山
２５，２６  ゴム山
３０  可動プレッサ
３１，３２  セレクトジャックハーフ下げカム
３３，３４  セレクトジャック下げカム
４０，１１０  目移し用カム群
４１  スライダ用目移しレイジングカム
４２  スライダ目移しカム
４３，１１１  目移し側編目受けカム
５０，１２０  目受け用カム群
５１  目受け側編目受けカム
５２  目受け側保持レイジングカム
５３，１２１  目受け用スライダカム
６０  針床
６１  針溝
６２  複合針
６３  針本体
６４  スライダ
６６  ニードルジャック
６７  ニードルジャックバット
６８  スライダバット
７０  セレクトジャック
７１  セレクトジャックバット
７２  セレクタ
７４  押上げ用バット
７５  押下げ用バット
８０  編目
【図１】
2005113352.tif 000003
【図２】
2005113352.tif 000004
【図３】
2005113352.tif 000005
【図４】
2005113352.tif 000006
【図５】
2005113352.tif 000007
【図６】
2005113352.tif 000008
【図７】
2005113352.tif 000009
【図８】
2005113352.tif 000010
【図９】
2005113352.tif 000011
【図１０】
2005113352.tif 000012
【図１１】
2005113352.tif 000013
【図１２】
2005113352.tif 000014
【図１３】
2005113352.tif 000015
【図１４】
2005113352.tif 000016
【図１５】
2005113352.tif 000017
【図１６】
2005113352.tif 000018
【図１７】
2005113352.tif 000019
【図１８】
2005113352.tif 000020
【図１９】
2005113352.tif 000021
【図２０】
2005113352.tif 000022
【図２１】
2005113352.tif 000023
【図２２】
2005113352.tif 000024
【図２３】
2005113352.tif 000025